(57)【要約】【課題】スマートフォンに用いるケースにおいて視覚に訴え見やすく且つ識別力を有し個性豊かなものとして使用することのできるスマートフォン用装飾付ケースを提供する。【解決手段】スマートフォン用装飾付ケース１０は、スマートフォンの背面を覆う背面部１１と、スマートフォンの４つの側面を覆うように背面部１１と一体的になるように形成されている第１の長手方向側面部１２、第２の長手方向側面部１３、第１の短手方向側面部１４及び第２の短手方向側面部１５を有している。第１の長手方向側面部１２に装飾１２ａが施されており、装飾１２ａは、視覚に訴え見やすく、視覚を通じて美感を起こさせるものである。スマートフォン用装飾付ケース１０は、このような美的な装飾が側面に施されることにより、より個性的なものとなり、カスタム品としての効果も有し、またブランド力の高い製品とすることができる。【選択図】図１
0003223252.tif 000002
【実用新案登録請求の範囲】
【請求項１】
スマートフォンを覆うように形成されているスマートフォン用装飾付ケースであって、
前記スマートフォンの背面を覆う背面部と、前記スマートフォンの４つの側面を覆うように前記背面部と一体的に形成されている第１の長手方向側面部、第２の長手方向側面部、前記第１の短手方向側面部及び第２の短手方向側面部を有し、
前記第１の長手方向側面部、前記第２の長手方向側面部、前記第１の短手方向側面部及び前記第２の短手方向側面部は、一体的になるように形成されており、
前記第１の長手方向側面部、前記第２の長手方向側面部、前記第１の短手方向側面部、前記第２の短手方向側面部の少なくとも一つに、装飾が施されていることを特徴とするスマートフォン用ケース。
【請求項２】
前記装飾は、視覚的な美感を有していることを特徴とする請求項１に記載のスマートフォン用装飾付ケース。
【請求項３】
前記装飾は、レーザーで加工されていることを特徴とする請求項１または請求項２に記載のスマートフォン用装飾付ケース。
【請求項４】
前記装飾は、前記第１の長手方向側面部、前記第２の長手方向側面部、前記第１の短手方向側面部、前記第２の短手方向側面部の少なくとも二つに施されていることを特徴とする請求項１から請求項３のいずれかに記載のスマートフォン用装飾付ケース。
【請求項５】
前記装飾は、前記第１の長手方向側面部、前記第２の長手方向側面部、前記第１の短手方向側面部、前記第２の短手方向側面部の少なくとも三つに施されていることを特徴とする請求項１から請求項３のいずれかに記載のスマートフォン用装飾付ケース。
【請求項６】
前記装飾は、前記第１の長手方向側面部、前記第２の長手方向側面部、前記第１の前記短手方向側面部及び前記第２の短手方向側面部に施されていることを特徴とする請求項１から請求項３のいずれかに記載のスマートフォン用装飾付ケース。
【請求項７】
前記スマートフォンの表面を覆うように形成されている表面部を有し、手帳型として用いることを特徴とする請求項１から請求項６のいずれかに記載のスマートフォン用装飾付ケース。
【考案の詳細な説明】
【技術分野】
【０００１】
本考案は、スマートフォン用装飾付ケースに関する。
【背景技術】
【０００２】
スマートフォンは、薄く形成されておりスマートフォン用のケースに装着された状態で上着のポケット、カバンなどに入れて携帯されている。スマートフォン用ケースは、一般的に、スマートフォンの表面をカバーしないケース型とスマートフォンの表面もカバーする手帳型がある。ケース型は、例えば、耐久性、柔軟性を有する合成樹脂で形成されており、柔らかいことより簡単にスマートフォンに装着することができ、かさばらないことよりバッグやポケットからの出し入れが簡易にできるものである。手帳型ケースは、スマートフォンの背面だけではなく表面を保護するように形成されており、ポケット、カバンなどに入れた場合においても表面が保護されるものである。また、スマートフォン用ケースに関して外部から加わる衝撃等からスマートフォンを保護できるように形成したスマートフォン用ケースが開示されている。
【先行技術文献】
【特許文献】
【０００３】
【特許文献１】実登３１８６５７３号公報
【考案の概要】
【考案が解決しようとする課題】
【０００４】
従来のスマートフォン用ケースは、例えば、背面に装飾が施されたものがあるが、より視覚に訴え見やすく且つ識別力を有し個性豊かなものとして使用することのできるスマートフォン用のケースが求められていた。
【０００５】
本考案は、こうした点に鑑みてなされたものであり、スマートフォンに用いるケースにおいて視覚に訴え見やすく且つ識別力を有し個性豊かなものとして使用することのできるスマートフォン用装飾付ケースを提供するものである。
【課題を解決するための手段】
【０００６】
上記課題を解決するために、本考案に係るスマートフォン用装飾付ケースは、スマートフォンを覆うように形成されているスマートフォン用装飾付ケースであって、前記スマートフォンの背面を覆う背面部と、前記スマートフォンの４つの側面を覆うように前記背面部と一体的に形成されている第１の長手方向側面部、第２の長手方向側面部、前記第１の短手方向側面部及び第２の短手方向側面部を有し、前記第１の長手方向側面部、前記第２の長手方向側面部、前記第１の短手方向側面部及び前記第２の短手方向側面部は、一体的になるように形成されており、前記第１の長手方向側面部、前記第２の長手方向側面部、前記第１の短手方向側面部、前記第２の短手方向側面部の少なくとも一つに、装飾が施されていることを特徴とする。
【０００７】
本考案に係るスマートフォン用装飾付ケースの態様について、前記装飾は、視覚的な美感を有していることが好ましく、また、前記装飾は、レーザーで加工されていることが好ましい。
【０００８】
本考案に係るスマートフォン用装飾付ケースの態様について、前記装飾は、前記第１の長手方向側面部、前記第２の長手方向側面部、前記第１の短手方向側面部、前記第２の短手方向側面部の少なくとも二つに施されていることが好ましく、前記装飾は、前記第１の長手方向側面部、前記第２の長手方向側面部、前記第１の短手方向側面部、前記第２の短手方向側面部の少なくとも三つに施されていることが好ましく、前記装飾は、前記第１の長手方向側面部、前記第２の長手方向側面部、前記第１の前記短手方向側面部及び前記第２の短手方向側面部に施されていることが好ましく、また、前記スマートフォンの表面を覆うように形成されている表面部を有し、手帳型として用いられてもよい。
【考案の効果】
【０００９】
本考案によれば、スマートフォンに用いるケースにおいて視覚に訴え見やすく且つ識別力を有し個性豊かなものとして使用することのできるスマートフォン用装飾付ケースを提供することができる。
【図面の簡単な説明】
【００１０】
【図１】実施形態のスマートフォン用装飾付ケースの一例を示す参考図である。
【図２】実施形態のスマートフォン用装飾付ケースの装飾の一例を示す参考図である。
【考案を実施するための形態】
【００１１】
以下、本考案のスマートフォン用装飾付ケースの実施形態を、図１及び図２を用いて説明する。図１（ａ）は、実施形態のスマートフォン用装飾付ケース１０を裏側から見た図の一例であり、図１（ｂ）は、図１（ａ）に向かって右側から見た側面、すなわち第１の長手方向側面部１２を表している図の一例である。また、図２（ａ）から図２（ｅ）は、スマートフォン用装飾付ケース１０の長手方向側面部１２と短手方向側面部１４のそれぞれの装飾の例を示す参考図である。なお、上記の装飾は一例でありこれらに限定されず適宜最適な装飾を採用すればよい。また、本考案において装飾とは、製品の面、この例ではスマートフォン用のケースの面を、人為的に加工して視覚、触覚などを通じて美的快感をおこさせるものであり、形状、模様、色彩、これらの結合を有するものである。
【００１２】
実施形態のスマートフォン用装飾付ケース１０は、スマートフォンを覆うように形成されているスマートフォン用装飾付ケースである。スマートフォン用装飾付ケース１０は、スマートフォンの背面を覆う背面部１１と、スマートフォンの４つの側面を覆うように背面部１１と一体的になるように形成されている第１の長手方向側面部１２、第２の長手方向側面部１３、第１の短手方向側面部１４及び第２の短手方向側面部１５を有している。また、第１の長手方向側面部１２、第２の長手方向側面部１３、第１の短手方向側面部１４及び第２の短手方向側面部１５は、背面部１１とともに一体的になるように形成されている。
【００１３】
スマートフォン用装飾付ケース１０は、上記の構成のとおり従来の技術で説明しているケース型であるがこれに限定されず、例えばスマートフォンの表面を覆うように形成されている表面部を有する手帳型であってもよい。このようにスマートフォン用装飾付ケース１０は、適宜最適なスマートフォン用のケースを選択して本考案を実施することができるものである。
【００１４】
本考案の特徴として、第１の長手方向側面部１２、第２の長手方向側面部１３、第１の短手方向側面部１４、第２の短手方向側面部１５の少なくとも一つに、装飾が施されており、実施形態においては、図１及び図２に示すように、例えば、第１の長手方向側面部１２に装飾１２ａが施されている。本考案においてこの装飾は、上記のとおり視覚的な美感を有しているものであり、例えば、視覚を通じて美感を起こさせるものである。なお、装飾は、絵柄、図形、ロゴ、字体など適宜最適なものを選択すればよい。
【００１５】
スマートフォン用装飾付ケース１０は、このような意匠的な図柄などの装飾を、スマートフォン用のケースの側面に施すことにより、従来のものとは異なり、視覚に訴えることができる美的な装飾を有し、より個性的なものとなり、カスタム品としての効果も有し、また、ブランド力の高い製品とすることができる優れたものである。
【００１６】
上記の装飾は、レーザーで加工されていることが望ましく、このような方法で加工することにより、耐久性を有し、より美的な装飾となり、スマートフォン用のケースとして見やすく美的要素を供え使用感のある心地よい製品として仕上げることができるものである。なお、スマートフォン用のケースの素材は、例えば、合成樹脂、ゴムなどが用いられているが限定されるものではない。
【００１７】
上記の例では、第１の長手方向側面部１２に装飾が施されているが、これは一例であり限定されるものではなく、例えば、第２の長手方向側面部１３、第１の短手方向側面部１４または第２の短手方向側面部１５に、装飾が施されていてもよい。
【００１８】
また、装飾は、第１の長手方向側面部１２、第２の長手方向側面部１３、第１の短手方向側面部１４、第２の短手方向側面部１５の少なくとも二つに施されていてもよく、つまりスマートフォン用装飾付ケース１０の側面の選定された２か所に装飾が施されているということである。さらに、装飾は、第１の長手方向側面部１２、第２の長手方向側面部１３、第１の短手方向側面部１４、第２の短手方向側面部１５の少なくとも三つに施されていてもよく、つまりスマートフォン用装飾付ケース１０の側面の選定された３か所に装飾が施されていることである。加えて、装飾は、第１の長手方向側面部１２、第２の長手方向側面部１３、第１の短手方向側面部１４及び第２の短手方向側面部１５に施されていてもよく、つまりスマートフォン用装飾付ケース１０の側面の４か所に装飾が施されていることである。
【００１９】
上記の特徴を有するスマートフォン用装飾付ケース１０は、側面にレーザー加工などで装飾が施されており、このような装飾を有することにより、視覚に訴え見やすく且つ識別力を有し個性豊かなものとして、上記のとおり、視覚を通じて美感を起こさせるものとして優れた効果を有するものである。
【００２０】
以上、本考案の有する特徴及び優れた点を上記実施形態に記載したが、本考案は、本願の実用新案登録請求の範囲で使用されている言葉を広く一般的な意味に拡張して実施することができる。
【００２１】
また、本考案のスマートフォン用装飾付ケースは、大きさや形状、素材の種類などについては多様な実施形態が可能であり、それらについて本実施形態と異なる形態による実施は、本考案の技術的範囲に含まれる。
【符号の説明】
【００２２】
１０    スマートフォン用装飾付ケース
１１    背面部
１２    第１の長手方向側面部
１２ａ  装飾
１３    第２の長手方向側面部
１４    第１の短手方向側面部
１４ａ  装飾
１５    第２の短手方向側面部
【図１】
0003223252.tif 000003
【図２】
0003223252.tif 000004
【手続補正書】
【提出日】令和1年8月5日(2019.8.5)
【手続補正１】
【補正対象書類名】実用新案登録請求の範囲
【補正対象項目名】全文
【補正方法】変更
【補正の内容】
【実用新案登録請求の範囲】
【請求項１】
スマートフォンを覆うように形成されているスマートフォン用装飾付ケースであって、
前記スマートフォンの背面を覆う背面部と、前記スマートフォンの４つの側面を覆うように前記背面部と一体的に形成されている第１の長手方向側面部、第２の長手方向側面部、第１の短手方向側面部及び第２の短手方向側面部を有し、
前記第１の長手方向側面部、前記第２の長手方向側面部、前記第１の短手方向側面部及び前記第２の短手方向側面部は、一体的になるように形成されており、
前記第１の長手方向側面部、前記第２の長手方向側面部、前記第１の短手方向側面部、前記第２の短手方向側面部の少なくとも一つに、装飾が施されていることを特徴とするスマートフォン用ケース。
【請求項２】
前記装飾は、視覚的な美感を有していることを特徴とする請求項１に記載のスマートフォン用装飾付ケース。
【請求項３】
前記装飾は、レーザーで加工されていることを特徴とする請求項１または請求項２に記載のスマートフォン用装飾付ケース。
【請求項４】
前記装飾は、前記第１の長手方向側面部、前記第２の長手方向側面部、前記第１の短手方向側面部、前記第２の短手方向側面部の少なくとも二つに施されていることを特徴とする請求項１から請求項３のいずれかに記載のスマートフォン用装飾付ケース。
【請求項５】
前記装飾は、前記第１の長手方向側面部、前記第２の長手方向側面部、前記第１の短手方向側面部、前記第２の短手方向側面部の少なくとも三つに施されていることを特徴とする請求項１から請求項３のいずれかに記載のスマートフォン用装飾付ケース。
【請求項６】
前記装飾は、前記第１の長手方向側面部、前記第２の長手方向側面部、前記第１の前記短手方向側面部及び前記第２の短手方向側面部に施されていることを特徴とする請求項１から請求項３のいずれかに記載のスマートフォン用装飾付ケース。
【請求項７】
前記スマートフォンの表面を覆うように形成されている表面部を有し、手帳型として用いることを特徴とする請求項１から請求項６のいずれかに記載のスマートフォン用装飾付ケース。